(57)【要約】【課題】  抽選の実行を促進すると共に当該抽選に対する楽しみの低減を抑制する。【解決手段】  本発明の一実施形態に係るサービス提供システム１０は、ユーザ端末３０のユーザに対して所定のサービスを提供すると共に、当該所定のサービスにおいて利用可能なコンテンツ等の抽選対象コンテンツの抽選を提供する。システム１０は、ユーザが保有する第１の割引用アイテムの消費を伴う場合に、選択された抽選の実行に伴って消費される所定の抽選用価値の必要数に対して、選択された抽選に応じた割引を適用するから、単に、複数の抽選の各々に対して初回割引等が行われる場合と比較して、ユーザは、抽選の選択等に対して楽しみを感じることができる。【選択図】  図１
2020039853.tif 000002
【特許請求の範囲】
【請求項１】
１又は複数のコンピュータプロセッサと、情報を記憶する記憶装置と、を備え、抽選対象コンテンツの抽選を提供するためのシステムであって、
前記記憶装置は、複数のユーザの各々が保有する所定の抽選用価値及び第１の割引用アイテムに関する情報を記憶し、
前記１又は複数のコンピュータプロセッサは、読取可能な命令の実行に応じて、
抽選対象コンテンツの少なくとも一部が相互に異なる複数の抽選の中から実行する抽選の前記複数のユーザに含まれる１のユーザによる選択を受け付ける処理と、
前記１のユーザが保有する前記所定の抽選用価値の所定の必要数の消費を伴って、前記複数の抽選の中から前記１のユーザによって選択された抽選を実行する処理と、を実行し、
前記抽選を実行する処理は、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む、
システム。
【請求項２】
前記記憶装置は、さらに、前記複数のユーザの各々が保有する第２の割引用アイテムに関する情報を記憶し、
前記抽選を実行する処理は、前記１のユーザが保有する前記第２の割引用アイテムの消費を伴う場合に、前記所定の必要数に対して、前記選択された抽選にかかわらず所定の割引を適用することを含む、
請求項１のシステム。
【請求項３】
前記１又は複数のコンピュータプロセッサは、さらに、前記複数のユーザの各々に対して割引用アイテムを付与する処理と、前記複数のユーザの各々によってプレイされる所定のゲームの進行を制御する処理と、を実行し、
前記記憶装置は、さらに、前記所定のゲームをプレイするほど増加する傾向にある前記複数のユーザの各々の第１のパラメータの値を記憶し、
前記割引用アイテムを付与する処理は、前記第１のパラメータの値が大きいほど前記第１の割引用アイテムを優先的に付与する一方、前記第１のパラメータの値が小さいほど前記第２の割引用アイテムを優先的に付与することを含む、
請求項２のシステム。
【請求項４】
前記１又は複数のコンピュータプロセッサは、さらに、前記複数のユーザの各々によってプレイされる所定のゲームの進行を制御する処理を実行し、
前記所定のゲームは、各々に所定の属性の値が設定されている複数のステージを有するように構成されており、
前記複数の抽選の各々は、前記所定の属性の値が設定されており、
前記抽選を実行する処理は、前記１のユーザが保有する前記第１の割引用アイテムの消費を伴う場合に、前記所定の必要数に対して、前記選択された抽選と同一の前記所定の属性の値が設定されているステージの前記１のユーザによるプレイ状況に応じた割引を適用することを含む、
請求項１ないし３何れかのシステム。
【請求項５】
前記記憶装置は、さらに、前記所定の属性の値に関連付けられた第２のパラメータであって前記所定の属性の値に対応するステージをプレイするほど増加する傾向にある前記複数のユーザの各々の前記第２のパラメータの値を記憶し、
前記抽選を実行する処理は、前記選択された抽選に設定されている前記所定の属性の値に関連付けられた前記第２のパラメータの値が大きいほど割引を大きくすることを含む、
請求項４のシステム。
【請求項６】
前記記憶装置は、さらに、前記所定の属性の値に関連付けられた第２のパラメータであって前記所定の属性の値に対応するステージをプレイするほど増加する傾向にある前記複数のユーザの各々の前記第２のパラメータの値を記憶し、
前記抽選を実行する処理は、前記選択された抽選に設定されている前記所定の属性の値に関連付けられた前記第２のパラメータの値が小さいほど割引を大きくすることを含む、
請求項４のシステム。
【請求項７】
前記１又は複数のコンピュータプロセッサは、さらに、前記複数のユーザの各々に対して割引用アイテムを付与する処理と、前記複数のユーザの各々によってプレイされる所定のゲームの進行を制御する処理と、を実行し、
前記割引用アイテムを付与する処理は、前記複数のユーザの各々による前記所定のゲームのプレイ状況に基づいて前記複数の抽選の少なくとも一部に対する割引が設定された前記第１の割引用アイテムを前記複数のユーザの各々に対して付与することを含み、
前記抽選を実行する処理は、前記１のユーザが保有する前記第１の割引用アイテムの消費を伴う場合に、前記所定の必要数に対して、前記選択された抽選に対して前記第１の割引用アイテムに設定されている割引を適用することを含む、
請求項１ないし３何れかのシステム。
【請求項８】
前記所定のゲームは、各々に所定の属性の値が設定されている複数のステージを有するように構成されており、
前記複数の抽選の各々は、前記所定の属性の値が設定されており、
前記記憶装置は、さらに、前記所定の属性の値に関連付けられた第２のパラメータであって前記所定の属性の値に対応するステージをプレイするほど増加する傾向にある前記複数のユーザの各々の前記第２のパラメータの値を記憶し、
前記割引用アイテムを付与する処理は、設定されている前記所定の属性の値に関連付けられた前記第２のパラメータの値が大きい抽選ほど大きい割引が設定された前記第１の割引用アイテムを付与することを含む、
請求項７のシステム。
【請求項９】
前記所定のゲームは、各々に所定の属性の値が設定されている複数のステージを有するように構成されており、
前記複数の抽選の各々は、前記所定の属性の値が設定されており、
前記記憶装置は、さらに、前記所定の属性の値に関連付けられた第２のパラメータであって前記所定の属性の値に対応するステージをプレイするほど増加する傾向にある前記複数のユーザの各々の前記第２のパラメータの値を記憶し、
前記割引用アイテムを付与する処理は、設定されている前記所定の属性の値に関連付けられた前記第２のパラメータの値が小さい抽選ほど大きい割引が設定された前記第１の割引用アイテムを付与することを含む、
請求項７のシステム。
【請求項１０】
複数のユーザの各々が保有する所定の抽選用価値及び第１の割引用アイテムに関する情報を記憶する記憶装置にアクセス可能な１又は複数のコンピュータによって実行され、抽選対象コンテンツの抽選を提供するための方法であって、
抽選対象コンテンツの少なくとも一部が相互に異なる複数の抽選の中から実行する抽選の前記複数のユーザに含まれる１のユーザによる選択を受け付けるステップと、
前記１のユーザが保有する前記所定の抽選用価値の所定の必要数の消費を伴って、前記複数の抽選の中から前記１のユーザによって選択された抽選を実行するステップと、を備え、
前記抽選を実行するステップは、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む、
方法。
【請求項１１】
抽選対象コンテンツの抽選を提供するためのプログラムであって、
複数のユーザの各々が保有する所定の抽選用価値及び第１の割引用アイテムに関する情報を記憶する記憶装置にアクセス可能な１又は複数のコンピュータ上での実行に応じて、前記１又は複数のコンピュータに、
抽選対象コンテンツの少なくとも一部が相互に異なる複数の抽選の中から実行する抽選の前記複数のユーザに含まれる１のユーザによる選択を受け付ける処理と、
前記１のユーザが保有する前記所定の抽選用価値の所定の必要数の消費を伴って、前記複数の抽選の中から前記１のユーザによって選択された抽選を実行する処理と、を実行させ、
前記抽選を実行する処理は、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む、
プログラム。
【発明の詳細な説明】
【技術分野】
【０００１】
本発明は、抽選対象コンテンツの抽選を提供するためのシステム、方法、及びプログラムに関するものである。
【背景技術】
【０００２】
従来、オンラインゲーム等のサービスを提供するためのシステムにおいて、当該サービスで利用可能な仮想的及び電子的なコンテンツ（キャラクタ、アイテム、及びカード等）等を獲得するための抽選（「ガチャ」又は「ガシャ」と呼ばれることがある。）が行われている（例えば、下記特許文献１を参照）。こうした抽選は、典型的には、有償又は無償のアイテム（コイン等を含む。）の消費を伴って実行される。また、こうした抽選を促進するために、例えば、初回の抽選の実行については、アイテムの消費数量に対して割引を適用し（初回割引）又は当該アイテムの消費を不要とする（初回無料）等の施策が行われている。
【先行技術文献】
【特許文献】
【０００３】
【特許文献１】特開２０１３−２４７９７７号公報
【発明の概要】
【発明が解決しようとする課題】
【０００４】
しかしながら、上述した初回割引等の施策によって、ユーザによる抽選の実行が促進されると考えられるものの、当該施策が十分な効果を発揮しない場合も考えられる。例えば、抽選対象のコンテンツが相互に異なる複数の抽選の中からユーザが所望の抽選を選択して実行する場合において、これらの複数の抽選の各々に対して初回割引等が適用されると、ユーザは、単に、複数の抽選を順に実行して初回割引等の利益を網羅的に獲得することに集中してしまう傾向にある。このことは、抽選に対する楽しみを低減させ得る。
【０００５】
本発明の実施形態は、抽選の実行を促進すると共に当該抽選に対する楽しみの低減を抑制することを目的の一つとする。本発明の実施形態の他の目的は、本明細書全体を参照することにより明らかとなる。
【課題を解決するための手段】
【０００６】
本発明の一実施形態に係るシステムは、１又は複数のコンピュータプロセッサと、情報を記憶する記憶装置と、を備え、抽選対象コンテンツの抽選を提供するためのシステムであって、前記記憶装置は、複数のユーザの各々が保有する所定の抽選用価値及び第１の割引用アイテムに関する情報を記憶し、前記１又は複数のコンピュータプロセッサは、読取可能な命令の実行に応じて、抽選対象コンテンツの少なくとも一部が相互に異なる複数の抽選の中から実行する抽選の前記複数のユーザに含まれる１のユーザによる選択を受け付ける処理と、前記１のユーザが保有する前記所定の抽選用価値の所定の必要数の消費を伴って、前記複数の抽選の中から前記１のユーザによって選択された抽選を実行する処理と、を実行し、前記抽選を実行する処理は、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む。
【０００７】
本発明の一実施形態に係る方法は、複数のユーザの各々が保有する所定の抽選用価値及び第１の割引用アイテムに関する情報を記憶する記憶装置にアクセス可能な１又は複数のコンピュータによって実行され、抽選対象コンテンツの抽選を提供するための方法であって、抽選対象コンテンツの少なくとも一部が相互に異なる複数の抽選の中から実行する抽選の前記複数のユーザに含まれる１のユーザによる選択を受け付けるステップと、前記１のユーザが保有する前記所定の抽選用価値の所定の必要数の消費を伴って、前記複数の抽選の中から前記１のユーザによって選択された抽選を実行するステップと、を備え、前記抽選を実行するステップは、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む。
【０００８】
本発明の一実施形態に係るプログラムは、抽選対象コンテンツの抽選を提供するためのプログラムであって、複数のユーザの各々が保有する所定の抽選用価値及び第１の割引用アイテムに関する情報を記憶する記憶装置にアクセス可能な１又は複数のコンピュータ上での実行に応じて、前記１又は複数のコンピュータに、抽選対象コンテンツの少なくとも一部が相互に異なる複数の抽選の中から実行する抽選の前記複数のユーザに含まれる１のユーザによる選択を受け付ける処理と、前記１のユーザが保有する前記所定の抽選用価値の所定の必要数の消費を伴って、前記複数の抽選の中から前記１のユーザによって選択された抽選を実行する処理と、を実行させ、前記抽選を実行する処理は、前記１のユーザが保有する前記第１の割引用アイテムの消費を伴う場合に、前記選択された抽選の実行に伴って消費される前記所定の抽選用価値の前記所定の必要数に対して、前記選択された抽選に応じた割引を適用することを含む。
【発明の効果】
【０００９】
本発明の様々な実施形態は、抽選の実行を促進すると共に当該抽選に対する楽しみの低減を抑制する。
【図面の簡単な説明】
【００１０】
【図１】本発明の一実施形態に係るサービス提供システム１０を含むネットワークの構成を概略的に示す構成図。
【図２】サービス提供システム１０が有する機能を概略的に示すブロック図。
【図３】ユーザ情報テーブル４１１が管理する情報を例示する図。
【図４】ステージ選択画面５０を例示する図。
【図５】抽選選択画面６０を例示する図。
【図６】抽選実行画面７０を例示する図。
【図７】対応するシリーズのステージクリア回数と割引率との対応関係を例示する図。
【図８】ユーザのレベルと第１及び第２の割引チケットの付与枚数との対応関係を例示する図。
【発明を実施するための形態】
【００１１】
以下、図面を参照しながら、本発明の実施形態について説明する。
【００１２】
図１は、本発明の一実施形態に係るサービス提供システム１０を含むネットワークの構成を概略的に示す構成図である。システム１０は、図示するように、インターネット等の通信ネットワーク２０を介してユーザ端末３０と通信可能に接続されている。図１においては、１つのユーザ端末３０のみが図示されているが、システム１０は、複数のユーザ端末３０と通信可能に接続されている。システム１０は、ユーザ端末３０のユーザに対して所定のサービスを提供すると共に、当該所定のサービスにおいて利用可能なコンテンツ等の抽選対象コンテンツの抽選（抽選ゲーム）を提供する。
【００１３】
本実施形態のシステム１０が提供する所定のサービス（以下、「提供サービス」と言うことがある。）は、様々な種類のサービスが含まれ得る。例えば、提供サービスは、オンラインゲーム、デジタルコンテンツ（例えば、動画、音楽、記事及び電子書籍等を含む。）の配信、ＳＮＳ、テキストチャット、電子商取引、及び、その他の様々なインターネットサービスが含まれる。
【００１４】
システム１０は、一般的なコンピュータとして構成されており、図１に示すように、コンピュータプロセッサ１１と、メインメモリ１２と、入出力Ｉ／Ｆ１３と、通信Ｉ／Ｆ１４と、ストレージ（記憶装置）１５と、を備え、これらの各構成要素が図示しないバス等を介して電気的に接続されている。
【００１５】
コンピュータプロセッサ１１は、ＣＰＵ又はＧＰＵ等として構成され、ストレージ１５等に記憶されている様々なプログラムをメインメモリ１２に読み込んで、当該プログラムに含まれる各種の命令を実行する。メインメモリ１２は、例えば、ＤＲＡＭ等によって構成される。
【００１６】
入出力Ｉ／Ｆ１３は、ユーザ等との間で情報をやり取りするための各種の入出力装置を含む。入出力Ｉ／Ｆ１３は、例えば、キーボード、ポインティングデバイス（例えば、マウス、タッチパネル等）等の情報入力装置、マイクロフォン等の音声入力装置、カメラ等の画像入力装置を含む。また、入出力Ｉ／Ｆ１３は、ディスプレイ等の画像出力装置、スピーカ等の音声出力装置を含む。
【００１７】
通信Ｉ／Ｆ１４は、ネットワークアダプタ等のハードウェア、各種の通信用ソフトウェア、又はこれらの組み合わせとして実装され、通信ネットワーク２０等を介した有線又は無線の通信を実現できるように構成されている。
【００１８】
ストレージ１５は、例えば磁気ディスク、フラッシュメモリ等によって構成される。ストレージ１５は、オペレーティングシステムを含む様々なプログラム、及び各種データ等を記憶する。
【００１９】
本実施形態において、システム１０は、それぞれが上述したハードウェア構成を有する複数のコンピュータを用いて構成され得る。例えば、システム１０は、１又は複数のサーバ装置によって構成され得る。
【００２０】
このように構成されたサービス提供システム１０は、ウェブサーバ及びアプリケーションサーバとしての機能を有し、ユーザ端末３０にインストールされているウェブブラウザ又はその他のアプリケーションからの要求に応答して各種の処理を実行し、当該処理の結果に応じた画面データ（例えば、ＨＴＭＬデータ）及び制御データ等をユーザ端末３０に送信する。ユーザ端末３０では、受信したデータに基づくウェブページ又はその他の画面が表示される。
【００２１】
ユーザ端末３０は、一般的なコンピュータとして構成されており、図１に示すように、コンピュータプロセッサ３１と、メインメモリ３２と、入出力Ｉ／Ｆ３３と、通信Ｉ／Ｆ３４と、ストレージ（記憶装置）３５と、を備え、これらの各構成要素が図示しないバス等を介して電気的に接続されている。
【００２２】
コンピュータプロセッサ３１は、ＣＰＵ又はＧＰＵ等として構成され、ストレージ３５等に記憶されている様々なプログラムをメインメモリ３２に読み込んで、当該プログラムに含まれる各種の命令を実行する。メインメモリ３２は、例えば、ＤＲＡＭ等によって構成される。
【００２３】
入出力Ｉ／Ｆ３３は、ユーザとの間で情報をやり取りするための各種の入出力装置である。入出力Ｉ／Ｆ３３は、例えば、キーボード、ポインティングデバイス（例えば、マウス、タッチパネル等）等の情報入力装置、マイクロフォン等の音声入力装置、カメラ等の画像入力装置を含む。また、入出力Ｉ／Ｆ３３は、ディスプレイ等の画像出力装置、スピーカ等の音声出力装置を含む。
【００２４】
通信Ｉ／Ｆ３４は、ネットワークアダプタ等のハードウェア、各種の通信用ソフトウェア、及びこれらの組み合わせとして実装され、通信ネットワーク２０等を介した有線又は無線の通信を実現できるように構成されている。
【００２５】
ストレージ３５は、例えば磁気ディスク又はフラッシュメモリ等によって構成される。ストレージ３５は、オペレーティングシステムを含む様々なプログラム及び各種データ等を記憶する。ストレージ３５が記憶するプログラムは、アプリケーションマーケット等からダウンロードされてインストールされ得る。
【００２６】
本実施形態において、ユーザ端末３０は、スマートフォン、タブレット端末、ウェアラブルデバイス、パーソナルコンピュータ、又はゲーム専用端末等として構成され得る。
【００２７】
このように構成されたユーザ端末３０のユーザは、ストレージ３５等にインストールされているウェブブラウザ又はその他のアプリケーションを介したシステム１０との通信を実行することによって、システム１０が提供するサービスを利用することができる。
【００２８】
次に、本実施形態のサービス提供システム１０が有する機能について説明する。図２は、システム１０が有する機能を概略的に示すブロック図である。システム１０は、図示するように、様々な情報を記憶及び管理する情報記憶管理部４１と、基本機能を制御する基本機能制御部４３と、提供サービスを制御するサービス制御部４５と、抽選対象コンテンツの抽選を制御する抽選制御部４７とを有する。これらの機能は、コンピュータプロセッサ１１及びメインメモリ１２等のハードウェア、並びに、ストレージ１５等に記憶されている各種プログラムやデータ等が協働して動作することによって実現され、例えば、メインメモリ１２に読み込まれたプログラムに含まれる命令をコンピュータプロセッサ１１が実行することによって実現される。また、図２に示す機能の一部又は全部は、システム１０とユーザ端末３０とが協働することによって実現され、又は、ユーザ端末３０によって実現され得る。
【００２９】
システム１０の情報記憶管理部４１は、ストレージ１５等において様々な情報を記憶及び管理する。例えば、情報記憶管理部４１は、図２に示すように、提供サービスのユーザに関する情報を管理するユーザ情報テーブル４１１を有し得る。
【００３０】
システム１０の基本機能制御部４３は、基本機能の制御に関する様々な処理を実行する。例えば、基本機能制御部４３は、基本機能に関する様々な画面のＨＴＭＬデータ又は制御データをユーザ端末３０に送信し、ユーザ端末３０で表示される当該画面を介したユーザによる操作入力に応答して様々な処理を実行し、当該処理の結果に応じたＨＴＭＬデータ又は制御データをユーザ端末３０に送信する。基本機能制御部４３によって制御される基本機能には、例えば、ログイン処理（ユーザ認証）、課金制御、及びユーザ管理（例えば、ユーザ情報テーブル４１１の更新等）等が含まれる。
【００３１】
システム１０のサービス制御部４５は、提供サービスの制御に関する様々な処理を実行する。例えば、サービス制御部４５は、提供サービスに関する様々な画面のＨＴＭＬデータ又は制御データをユーザ端末３０に送信し、ユーザ端末３０で表示される当該画面を介したユーザによる操作入力に応答して様々な処理を実行し、当該処理の結果に応じたＨＴＭＬデータ又は制御データをユーザ端末３０に送信する。例えば、提供サービスがオンラインゲームである場合において、サービス制御部４５は、当該ゲームに関する様々な画面のＨＴＭＬデータ又は制御データをユーザ端末３０に送信し、ユーザ端末３０で表示される当該画面を介したユーザによる操作入力に応答して様々な処理（ゲームを進行させるための処理を含む。）を実行する。
【００３２】
システム１０の抽選制御部４７は、抽選の制御に関する様々な処理を実行する。例えば、抽選制御部４７は、抽選に関する様々な画面のＨＴＭＬデータ又は制御データをユーザ端末３０に送信し、ユーザ端末３０で表示される当該画面を介したユーザによる操作入力に応答して様々な処理を実行し、当該処理の結果に応じたＨＴＭＬデータ又は制御データをユーザ端末３０に送信する。抽選制御部４７が実行する処理には、個別の抽選処理（例えば、生成した乱数等に基づいて、予め定められた複数の抽選対象コンテンツの中から当選コンテンツを選択する処理等）が含まれる。
【００３３】
本実施形態において、抽選制御部４７は、複数の抽選の中から実行する抽選のユーザによる選択を受け付けるように構成されている。ここで、複数の抽選は、抽選対象コンテンツの全部又は一部が相互に異なる。つまり、本実施形態において、ユーザは、抽選対象コンテンツの少なくとも一部が相互に異なる複数の抽選の中から実行する抽選を選択できるように構成されている。例えば、抽選制御部４７は、ユーザ端末３０において表示される画面を介してユーザによる抽選の選択を受け付けるように構成される。
【００３４】
また、抽選制御部４７は、ユーザが保有する所定の抽選用価値の所定の必要数の消費を伴って、選択された抽選を実行するように構成されている。例えば、抽選制御部４７は、ユーザによって選択された抽選を実行する際に、当該ユーザが保有する所定の抽選用価値を所定の必要数だけ消費させるように構成される。ユーザが保有する所定の抽選用価値に関する情報は、例えば、ユーザ情報テーブル４１１において管理される。抽選の実行に伴って消費される所定の抽選用価値の所定の必要数は、例えば、選択された抽選毎に設定されており（複数の抽選の少なくとも一部の必要数が異なっており）、又は、複数の抽選に共通の必要数が設定されている。所定の抽選用価値は、複数の抽選の各々の実行に使用される仮想的及び電子的な価値（アイテム、仮想通貨等を含む。）であると言える。
【００３５】
また、抽選制御部４７は、ユーザが保有する第１の割引用アイテムの消費を伴う場合に、選択された抽選の実行に伴って消費される所定の抽選用価値の所定の必要数に対して、選択された抽選に応じた割引（例えば、当該抽選に応じた割引率又は割引数での割引）を適用するように構成されている。つまり、抽選制御部４７は、例えば、ユーザによる要求に応じて第１の割引用アイテムの消費を伴って第１の抽選を実行する際には、第１の割引率（例えば、１０％）での割引を適用する一方、同じく第１の割引用アイテムの消費を伴って第２の抽選を実行する際には、第２の割引率（例えば、３０％）での割引を適用するように構成される。ユーザが保有する第１の割引用アイテムに関する情報は、例えば、ユーザ情報テーブル４１１において管理される。
【００３６】
このように、本実施形態のサービス提供システム１０は、ユーザが保有する第１の割引用アイテムの消費を伴う場合に、選択された抽選の実行に伴って消費される所定の抽選用価値の必要数に対して、当該選択された抽選に応じた割引を適用するから、単に、複数の抽選の各々に対して初回割引等が行われる場合と比較して、ユーザは、抽選の選択等に対して楽しみを感じることができる。この結果、システム１０は、抽選の実行を促進すると共に当該抽選に対する楽しみの低減を抑制し得る。
【００３７】
本実施形態において、システム１０が提供する抽選は、抽選対象となる仮想的及び電子的なコンテンツである抽選対象コンテンツをユーザが獲得するための様々な抽選が含まれる。また、抽選対象コンテンツは、仮想的及び電子的な様々なコンテンツを含み得る。例えば、抽選対象コンテンツは、提供サービスとしてのオンラインゲーム等において利用可能なキャラクタ、アイテム、及びカード等を含む。また、例えば、抽選対象コンテンツは、提供サービスとしてのＳＮＳ及びテキストチャット等において利用可能な画像コンテンツ（「スタンプ」等と呼ばれることもある。）等を含む。また、例えば、抽選対象コンテンツは、提供サービスにおいて利用可能な様々な仮想通貨等を含む。
【００３８】
本実施形態において、抽選制御部４７は、ユーザが保有する第２の割引用アイテムの消費を伴う場合に、選択された抽選の実行に伴って消費される所定の抽選用価値の所定の必要数に対して、選択された抽選にかかわらず所定の割引（例えば、一定の割引率又は割引数での割引）を適用するように構成され得る。ユーザが保有する第２の割引用アイテムに関する情報は、例えば、ユーザ情報テーブル４１１において管理される。こうした構成は、複数の抽選に対して共通の割引の適用を希望するユーザの満足度の低減を抑制し得る。
【００３９】
本実施形態において、サービス制御部４５は、ユーザに対して割引用アイテムを付与するように構成され得る。例えば、サービス制御部４５は、定期的なタイミングで、及び／又は、ユーザが所定の条件を充足したタイミングで、所定数の割引用アイテムをユーザに付与するように構成される。
【００４０】
また、提供サービスが所定のゲームである場合において、サービス制御部４５は、当該所定のゲームをプレイするほど増加する傾向にある第１のパラメータの値をユーザ毎に管理し、ユーザの第１のパラメータの値が大きいほど、当該ユーザに対して上記第１の割引用アイテムを優先的に付与する一方、ユーザの第１のパラメータの値が小さいほど、当該ユーザに対して上記第２の割引用アイテムを優先的に付与するように構成され得る。ユーザの第１のパラメータの値は、例えば、ユーザ情報テーブル４１１において管理される。当該第１のパラメータは、例えば、レベル、経験値、プレイ時間、ログイン回数等を含む。こうした構成は、第１のパラメータの値が比較的大きい熟練のユーザに対して、割引が変化する第１の割引用アイテムを優先的に付与することによって抽選の選択等に楽しみを感じさせる一方、第１のパラメータの値が比較的小さい初心者のユーザに対して、割引が一定の第２の割引用アイテムを優先的に付与することによって所望の抽選の選択を優先させることを可能とする。この結果、熟練のユーザ及び初心者のユーザの両方のユーザの満足度の低減を抑制し得る。
【００４１】
本実施形態における所定のゲームは、複数のステージを有するように構成することができ、当該複数のステージの各々は、所定の属性の値が設定され得る。この場合、上記複数の抽選の各々もまた、当該所定の属性の値が設定され、抽選制御部４７は、ユーザが保有する第１の割引用アイテムの消費を伴う場合に、上記所定の必要数に対して、選択された抽選と同一の所定の属性の値が設定されているステージのユーザによるプレイ状況に応じた割引を適用するように構成され得る。所定の属性は、様々なパラメータとして構成することができ、例えば、シリーズ化されているアニメ及びゲーム等におけるシリーズを含む。こうした構成は、選択された抽選に対応するステージのプレイ状況に応じて適用される割引が変化するから、ステージのプレイ状況と連動した割引の適用を可能とする。
【００４２】
また、サービス制御部４５は、上記所定の属性の値に関連付けられた第２のパラメータであって当該所定の属性の値に対応するステージ（当該所定の属性の値が設定されているステージ）をプレイするほど増加する傾向にある当該第２のパラメータの値をユーザ毎に管理するように構成することができ、抽選制御部４７は、選択された抽選に設定されている所定の属性の値に関連付けられた第２のパラメータの値が大きいほど（又は、小さいほど）割引を大きくするように構成され得る。ユーザの第２のパラメータの値は、例えば、ユーザ情報テーブル４１１において管理される。当該第２のパラメータは、例えば、対応するステージのクリア回数、ボスキャラクタを倒した回数、プレイ時間等が含まれる。こうした構成は、選択された抽選に対応するステージをプレイしているほど（又は、プレイしていないほど）割引が大きくなるから、プレイしている（又は、プレイしていない）ステージに対応する抽選の実行を促進する。
【００４３】
また、サービス制御部４５は、ユーザの所定のゲームのプレイ状況に基づいて複数の抽選の少なくとも一部に対する割引が設定された第１の割引用アイテムを当該ユーザに対して付与するように構成することができ、この場合、抽選制御部４７は、ユーザが保有する第１の割引用アイテムの消費を伴う場合に、上記所定の必要数に対して、選択された抽選に対して当該第１の割引用アイテムに設定されている割引を適用するように構成され得る。例えば、サービス制御部４５は、設定されている所定の属性の値に関連付けられた上記第２のパラメータの値が大きい（又は、小さい）抽選ほど大きい割引が設定された第１の割引用アイテムを付与するように構成され得る。こうした構成は、プレイしている（又は、プレイしていない）ステージに対応する抽選の実行を促進する。
【００４４】
次に、このような機能を有する本実施形態のサービス提供システム１０の具体例について説明する。この具体例におけるシステム１０は、ユーザ端末３０のユーザに対してオンラインゲーム（ＲＰＧ）を提供し、また、当該ゲームにおいて利用可能なアイテム（例えば、キャラクタに対する装備アイテム等）を獲得するための抽選を提供する。
【００４５】
図３は、この例において、ユーザ情報テーブル４１１が管理する情報を例示する。ユーザ情報テーブル４１１は、この例のオンラインゲームのユーザ（プレイヤ）毎の情報を管理し、図示するように、個別のユーザを識別する「ユーザアカウント」に対応付けて、ユーザのレベル（第１のパラメータ）を示す「レベル」、シリーズ（所定の属性）毎のステージのクリア回数（第２のパラメータ）を示す「シリーズ毎ステージクリア回数」、「コイン保有数」、「第１の割引チケット保有数」、「第２の割引チケット保有数」等の情報を管理する。
【００４６】
シリーズは、この例のＲＰＧのモチーフとなっているシリーズ化された特定のゲームにおける複数のシリーズの各々に対応しており、当該ＲＰＧが有する複数のステージの各々は、複数のシリーズの何れかが設定されている。
【００４７】
また、この例におけるコイン（所定の抽選用価値）は、抽選を実行するための仮想的及び電子的なアイテムであって、抽選の実行に応じて所定数が消費される。なお、当該コインは、抽選の実行以外の他の用途に使用されるように構成され得る。また、ユーザは、様々なタイミングで、有償又は無償で、コインを獲得することができる。例えば、ユーザは、現実の通貨を用いてコインを購入することができ、また、ゲームにおけるボーナスとしてコインを獲得することができる。
【００４８】
また、この例における第１及び第２の割引チケット（第１及び第２の割引用アイテム）は、抽選の実行に応じて消費されるコインの必要数に対して割引を適用する（必要数から割引数を減じる）ための仮想的及び電子的なアイテムである。この例において、第１の割引チケットは、選択される抽選に応じて割引率が変化するように構成された割引チケットである一方、第２の割引チケットは、選択される抽選にかかわらず割引率が一定であるように構成された割引チケットである。
【００４９】
図４は、この例のオンラインゲームにおいて、ユーザがプレイするステージを選択するためのステージ選択画面５０を例示する。当該画面５０は、ユーザ端末３０において表示され、図示するように、複数のステージにそれぞれ対応する複数のステージ選択ボタン５２が上下方向に並べて配置されている。ユーザは、複数のステージ選択ボタン５２の何れかを選択することによって、プレイするステージを選択することができる。この例のオンラインゲームは、ユーザが複数のキャラクタによってデッキを構築し、当該デッキを用いて敵キャラクタとの対戦を行うＲＰＧとして構成されている。各ステージは、例えば、複数のエリアによって構成され、ユーザは、各エリアにおいて登場する敵キャラクタを倒すと次のエリアに進むことができ、最後のエリアの敵キャラクタ（ボスキャラクタ）を倒すとステージのクリアとなる。
【００５０】
また、この例において、各ステージには、上述したように、シリーズ化された特定のゲームにおける複数のシリーズの何れかが設定されており、図４に示すように、ステージ選択画面５０が有する各ステージ選択ボタン５２の右端には、対応するステージに設定されているシリーズ（対応するローマ数字）を示すシリーズ表示オブジェクト５２１が配置されている。各ステージは、設定されているシリーズをモチーフとして構成されており、例えば、当該シリーズにおける特定の場面に相当する背景画像が適用されており、また、当該シリーズにおける著名なキャラクタが敵キャラクタとして登場するように構成されている。なお、この例では、複数のステージが同一のシリーズに関連付けられており、言い換えると、同一のシリーズに関連付けられている複数のステージが存在する。また、各ステージは、何度でもクリアすることができ、各ステージをクリアする毎に、ユーザ情報テーブル４１１のシリーズ毎ステージクリア回数が更新される。例えば、シリーズＩＩが設定されているステージをクリアすると、シリーズＩＩのステージクリア回数に１が加算される。
【００５１】
図５は、複数の抽選の中からユーザが実行する抽選を選択するための抽選選択画面６０を例示する。当該画面６０は、図示するように、ユーザの第１及び第２の割引チケットそれぞれの保有枚数を表示すると共に、複数の抽選にそれぞれ対応する複数の抽選選択ボタン６２が上下方向に並べて配置されている。ユーザは、複数の抽選選択ボタン６２の何れかを選択することによって、実行する抽選を選択することができる。
【００５２】
また、この例において、抽選選択画面６０を介して選択可能な複数の抽選は、上述した特定のゲームにおける複数のシリーズにそれぞれ対応しており、図５に示すように、各抽選選択ボタン６２には、対応するシリーズが表示されている。例えば、複数の抽選の各々は、対応するシリーズにおける著名なキャラクタによって装備される著名なアイテムを抽選対象アイテムとして含むように構成されている。このように、複数の抽選は、抽選対象アイテムが相互に異なっている。
【００５３】
抽選選択画面６０の複数の抽選選択ボタン６２の何れかが選択されると、図６に例示する抽選実行画面７０が表示される。当該画面７０は、抽選選択画面６０を介して選択された抽選を実行するための画面であり、図示するように、対応する抽選を実行するために必要なコインの枚数（必要数、図６の例では１００枚）、及び、ユーザが保有するコインの枚数を表示し、「割引チケットの使用なしで実行」と表示された実行ボタン７１１を有する。
【００５４】
また、抽選実行画面７０は、ユーザが第１の割引チケットを保有している場合、図６に示すように、第１の領域７２が配置される。当該領域７２は、ユーザが第１の割引チケットを保有していない場合は表示されない。第１の領域７２は、図示するように、「第１の割引チケットを使用して実行」と表示された実行ボタン７２１を有し、当該第１の割引チケットを使用した場合の、コインの必要数に対する割引率、及び、割引後のコインの必要数を表示する。図６の例では、割引率は４０％であり、割引後のコインの必要数は６０枚（割引数は１００枚×０．４＝４０枚）である。
【００５５】
この例において、第１の割引チケットは、選択された抽選に設定されているシリーズのステージクリア回数に応じた割引率が適用される割引チケットとして構成されている。図７は、対応するシリーズのステージクリア回数と、第１の割引チケットを使用した場合に設定される割引率との対応関係を例示する。この例の第１の割引チケットは、図示するように、対応するシリーズのステージクリア回数が５０回以下である場合、割引率として４０％が設定される。同様に、ステージクリア回数が５１回以上１００回以下である場合、割引率として５０％が設定され、ステージクリア回数が１０１回以上である場合、割引率として６０％が設定される。例えば、図６の抽選実行画面７０は、シリーズＩＩＩに対応する抽選であって、第１の割引チケットを使用した場合の割引率が４０％であるから、このユーザのシリーズＩＩＩのステージクリア回数は５０回以下である。なお、第１の領域７２において、対応するシリーズのステージクリア回数自体をさらに表示するようにしても良い。
【００５６】
このように、この例の第１の割引チケットは、対応するシリーズのステージクリア回数が多いほど割引率が大きくなるから、ユーザにとって、ステージクリア回数の多いシリーズに対応する抽選を選択するのが有利となる。この結果、ユーザが比較的多くプレイしているシリーズに対応する抽選の実行が促進される。なお、本実施形態の他の例では、第１の割引チケットは、対応するシリーズのステージクリア回数が少ないほど割引率が大きくなるように構成され、この場合、ユーザにとって、ステージクリア回数の少ないシリーズに対応する抽選を選択するのが有利となる。この結果、ユーザがあまりプレイしていないシリーズに対応する抽選の実行が促進される。
【００５７】
また、抽選実行画面７０は、ユーザが第２の割引チケットを保有している場合、図６に示すように、第２の領域７４が配置される。当該領域７４は、ユーザが第２の割引チケットを保有していない場合は表示されない。第２の領域７４は、「第２の割引チケットを使用して実行」と表示された実行ボタン７４１を有し、当該第２の割引チケットを使用した場合の、コインの必要数に対する割引率、及び、割引後のコインの必要数を表示する。  この例において、第２の割引チケットは、固定の割引率（例えば、３０％）が適用される割引チケットとして構成されている。図６の例では、割引後のコインの必要数は７０枚（割引数は１００枚×０．３＝３０枚）である。
【００５８】
抽選実行画面７０の実行ボタン７１１、７２１、７４１の何れかが選択されると、コインの消費を伴って抽選が実行される。消費されるコインの必要数は、実行ボタン７１１が選択された場合（割引チケットの使用なし）は、抽選に対して予め定められている必要数（図７の例では１００枚）であり、実行ボタン７２１が選択された場合（第１の割引チケットの使用あり）は、抽選に対して予め定められている必要数に対して、対応するシリーズのステージクリア回数に応じた割引率（この例では、４０％、５０％及び６０％の何れか）での割引の適用後の必要数であり、実行ボタン７４１が選択された場合（第２の割引チケットの使用あり）は、抽選に対して予め定められている必要数に対して、固定の割引率（この例では、３０％）での割引の適用後の必要数である。抽選の実行は、具体的には、選択された抽選における複数の抽選対象コンテンツの各々に予め設定されている当選確率に従って、当選した抽選対象コンテンツを判定することによって行われる。
【００５９】
この例において、システム１０は、所定枚数の第１及び第２の割引チケットを、定期的に（例えば、毎月１日に）複数のユーザの各々に付与する。具体的には、ユーザのレベルに応じた枚数の第１及び第２の割引チケットが定期的に当該ユーザに対して付与される。図８は、ユーザのレベルと、第１及び第２の割引チケットの付与枚数との対応関係を例示する。図示するように、この例では、レベルが１００以下であるユーザに対しては、割引率が一定である第２の割引チケット１０枚が付与され、レベルが１０１以上２００以下であるユーザに対しては、選択される抽選に応じて割引率が変化する第１の割引チケット５枚、及び、第２の割引チケット５枚が付与され、及び、レベルが２０１以上であるユーザに対しては、第１の割引チケット１０枚が付与される。このように、この例では、レベルが比較的低い初心者のユーザに対しては割引率が一定である第２の割引チケットが優先的に付与されるから、こうした初心者のユーザは、所望の抽選（例えば、特定のゲームの複数のシリーズの中の好みのシリーズに対応する抽選）の選択を優先することができる。また、この例では、レベルが比較的高い熟練者のユーザに対しては選択された抽選に応じて割引率が変化する第１の割引チケットが優先的に付与されるから、こうした熟練者のユーザは、抽選の選択等に楽しみを感じることができる。なお、割引チケットを付与するタイミングにおいて、ユーザが割引チケットを保有している場合（未使用の割引チケットが存在する場合）には、図８に例示した付与枚数に対する不足分のみをユーザに対して付与する（つまり、ユーザの割引チケットの保有枚数が、図８に例示した付与枚数を超えないようにする。）ようにしても良い。また、この例において、ユーザは、第１及び／又は第２の割引チケットを有償で購入することもできる。
【００６０】
上述した例では、所定枚数の第１及び第２の割引チケットが定期的にユーザに付与されるようにしたが、本実施形態の他の例では、初回については所定枚数の第１及び第２の割引チケットがユーザに付与され、その後、複数のユーザ全体に対して付与された全ての割引チケットの消費率（使用率、消化率）が所定の閾値（例えば、８０％）以上となったタイミングで、再度、所定枚数の割引チケットの付与が行われる。なお、割引チケットをユーザに付与するタイミングは、これらに限定されず、例えば、各ユーザのゲームのプレイ状況に基づくタイミングで割引チケットが付与されるようにしても良い。また、所定枚数の割引チケットを一律にユーザに付与することに代えて、複数のユーザ全体に対して所定枚数の割引チケットを予め準備し、所定の条件を充足したユーザ（例えば、レベルが所定値に到達したユーザ等）に対して割引チケットを都度付与するようにしても良い。
【００６１】
上述した例では、第１の割引チケットは、当該第１の割引チケットを使用する（抽選を実行する）タイミングにおいて、実行する抽選に対応するシリーズのステージクリア回数に応じた割引率が適用されるように構成したが、本実施形態の他の例において、第１の割引チケットは、当該第１の割引チケットをユーザに付与するタイミングにおいて、抽選毎の割引率が予め設定される。例えば、当該他の例における第１の割引チケットは、ユーザに付与されるタイミングにおける当該ユーザの各シリーズのステージクリア回数に基づいて各シリーズに対応する抽選毎の割引率が設定される（例えば、ステージクリア回数が多い／少ないシリーズに対応する抽選ほど大きい割引率が設定される）。この場合、ユーザが保有する個別の第１の割引チケットに設定されている抽選毎の割引率は、ユーザ情報テーブル４１１等において管理される。
【００６２】
上述した例において、付与された第１及び／又は第２の割引チケットの使用状況に応じて、割引率が変化するようにしても良い。例えば、割引チケットが付与された日時からの経過時間が大きくなるほど割引率が減少するようにしても良い。この場合、所定の条件の充足（特定のステージのクリア等）に応じて、減少した割引率から当初の割引率に復活するようにしても良い。
【００６３】
以上説明した本実施形態に係るサービス提供システム１０は、ユーザが保有する第１の割引用アイテム（例えば、第１の割引チケット）の消費を伴う場合に、選択された抽選の実行に伴って消費される所定の抽選用価値（例えば、コイン）の必要数に対して、選択された抽選に応じた割引（例えば、対応するシリーズのステージクリア回数に応じた割引率での割引）を適用するから、単に、複数の抽選の各々に対して初回割引等が行われる場合と比較して、ユーザは、抽選の選択等に対して楽しみを感じることができる。この結果、システム１０は、抽選の実行を促進すると共に当該抽選に対する楽しみの低減を抑制し得る。
【００６４】
本発明の他の実施形態では、選択された抽選に応じた割引を適用する第１の割引用アイテム（例えば、第１の割引チケット）は存在せずに、選択された抽選にかかわらず所定の割引を適用する第２の割引用アイテム（例えば、第２の割引チケット）のみが存在するように構成される。この場合であっても、複数の抽選の各々に対して初回割引等が行われる場合と比較して、ユーザは、特定の好みの抽選に対して繰り返し割引を適用することができるから、抽選の実行が促進され得る。
【００６５】
本明細書で説明された処理及び手順は、明示的に説明されたもの以外にも、ソフトウェア、ハードウェア又はこれらの任意の組み合わせによって実現される。例えば、本明細書で説明される処理及び手順は、集積回路、揮発性メモリ、不揮発性メモリ、磁気ディスク等の媒体に、当該処理及び手順に相当するロジックを実装することによって実現される。また、本明細書で説明された処理及び手順は、当該処理・手順に相当するコンピュータプログラムとして実装し、各種のコンピュータに実行させることが可能である。
【００６６】
本明細書中で説明された処理及び手順が単一の装置、ソフトウェア、コンポーネント、モジュールによって実行される旨が説明されたとしても、そのような処理又は手順は複数の装置、複数のソフトウェア、複数のコンポーネント、及び／又は複数のモジュールによって実行され得る。また、本明細書において説明されたソフトウェア及びハードウェアの要素は、それらをより少ない構成要素に統合して、又はより多い構成要素に分解することによって実現することも可能である。
【００６７】
本明細書において、発明の構成要素が単数もしくは複数の何れか一方として説明された場合、又は、単数もしくは複数の何れとも限定せずに説明された場合であっても、文脈上別に解すべき場合を除き、当該構成要素は単数又は複数の何れであってもよい。
【符号の説明】
【００６８】
１０  サービス提供システム
２０  通信ネットワーク
３０  ユーザ端末
４１  情報記憶管理部
４１１  ユーザ情報テーブル
４３  基本機能制御部
４５  サービス制御部
４７  抽選制御部
５０  ステージ選択画面
６０  抽選選択画面
７０  抽選実行画面
【図１】
2020039853.tif 000003
【図２】
2020039853.tif 000004
【図３】
2020039853.tif 000005
【図４】
2020039853.tif 000006
【図５】
2020039853.tif 000007
【図６】
2020039853.tif 000008
【図７】
2020039853.tif 000009
【図８】
2020039853.tif 000010